(57)【要約】【課題】本発明は、セキュリティの性能を維持したまま、簡単な構造で通線作業のしやすいラック１のダクト３を提供することを目的としている。【解決手段】本発明に係るラック１は、それぞれの段に載置される機器に接続されるケーブルを段毎に個別に収納するために、段数分のダクト９をラック１の一面に並列しレールに固定可能とし、それぞれの段への入出線をラック１の上部または下部のどちら側からでも行えるようにダクト９の組み替えが可能であると共に、通線作業は段毎に行えることを特徴とする。【選択図】        図４
2004158729.tif 000002
【特許請求の範囲】
【請求項１】
仕切り板により内部を分割され、各段毎に使用者が異なる各種通信機器等を載置するためのラックの構造において、それぞれの段に載置される機器に接続されるケーブルを段毎に個別に収納するために、段数分のダクトを前記ラックの一面に並列しレールに固定可能とし、それぞれの段への入出線を前記ラックの上部または下部のどちら側からでも行えるように前記ダクトの組み替えが可能であると共に、通線作業は段毎に行えることを特徴とするラックの構造。
【発明の詳細な説明】
【０００１】
【発明の属する技術分野】
仕切り板により内部を分割され、各段毎に使用者が異なる各種通信機器等を載置するためのラックに関する。
【０００２】
【従来の技術】
従来技術におけるラック２１では、図６に示すように、専用のダクトは設けず、仕切り板２２を短くして、仕切り板２２と側板２３との間の空間を通線孔２４として用いていた。または、汎用ダクトを取り付け、ダクトにすべてのケーブルを挿通していた。その後、特開２００２−１００８８９号に示すようなラックが発明された。
【０００３】
【発明が解決しようとする課題】
しかしながら上記従来技術によれば、ラックの各段を異なる使用者が所有した場合でも、通線部分は共有しなくてはならないので、配線作業の際に誤って他のケーブルに触れてしまったり、他のケーブルが邪魔で作業がしにくくなるといった欠点があった。ケーブルの通線作業の際には、ラックのダクト側の側板をすべて開放する必要があり、面倒であった。また、特開２００２−１００８８９号に示すラックでは、それぞれのラックによって入出線の位置が異なった場合、入出線方法やダクトの取り付けはそれぞれのラックで設計し、製作しなくてはならなかった。そのため、入出線の位置を変更したいだけでも、ラックなり交換しなくてはならず、設計に大変な時間がかかり、製作費を引き上げていた。
【０００４】
【課題を解決するための手段】
そこで本発明は、セキュリティの性能を維持したまま、簡単な構造で通線作業のしやすいラックのダクトを提供することを目的とし、その構造は、それぞれの段に載置される機器に接続されるケーブルを段毎に個別に収納するために、段数分のダクトをラックの一面に並列しレールに固定可能とし、それぞれの段への入出線をラックの上部または下部のどちら側からでも行えるようにダクトの組み替えが可能であると共に、通線作業は段毎に行えることを特徴とする。
【０００５】
【発明の実施の形態】
本発明に係るダクトはラックの側面に段数分の本数が取り付けられ、ラックの各段に載置されている機器に接続されるケーブル等をそれぞれ収納する。ダクトは、ラックの側面に並列され、側板を外したときにラック内に手を入れられないようにする。ダクトの固定は、ラックの側面に設けられた調整レールにねじ止めして行われる。ラックへの入出線がラックの下側から行われる場合、底面からダクトを上方向に取り付ける。それぞれのダクトからはラックの各段の下側で入出線する。また、下側から入出線するように設置されたラックを上側からの入出線に変更したい場合、仕切板、マウントアングル、マウントレール等を外し、ダクトを天板から下方向に取り付ける。それぞれのダクトからは各段の上側で入出線する。仕切板、マウントアングル、マウントレール等を取り付け、最後に天板に設けられている開口カバーを外す。
【０００６】
【実施例】
本発明に係る実施例を図１〜図４の添付図面に基づいて説明する。
【０００７】
ラック１は底板２にサイドパネル３を立設し、サイドパネル３の上部に天板４を取り付けて本体を構成し、仕切り板５で複数段に分割する。ラック１の内側に各段毎に機器を取り付けるためのマウントアングル６を取り付け。前面、背面は扉７やパネル８で被覆し、各段を異なる使用者がそれぞれ通信機器等を載置して用いる。通信機器等に接続されるケーブルは、ラック１の内側側面に取り付けられたダクト９に収納する。
【０００８】
本発明に係るダクト９には、ケーブルを段毎に分割して収納する。ダクト９は、段数分をラック１の側面に並列し、ラック１の側面に取り付けられている調整レール１０にねじ止め等により固定される。それぞれの段までの長さにダクト９を調節し、入出線はそれぞれダクト９の端部から行われる。
【０００９】
ラック１の仕切り板５と底板２、天板４にはそれぞれダクト挿通孔１１を設けている。天板４のダクト挿通孔１１は、ラック１へ下方から入出線を行う場合には、カバー１２を取り付けている。
【００１０】
入出線をラック１の下方から行う場合、底板２から上方向にダクト９を取り付ける。それぞれの段に収納された機器に接続されるケーブルは、その段へつながるダクト９に収納し、ダクト９の端部からケーブルを入出線する。ケーブルは段毎にダクト９に分割収納されるので、誤って他の段のケーブルに触れたりすることもなく、また、ラック１のサイドパネル３や扉７を施錠すれば他の段への進入も困難であり、セキュリティの性能を向上させることができる。
【００１１】
また、入出線をラック１の上方から行う場合、天板４から下方向にダクト９を取り付ける。それぞれの段に収納された機器に接続されるケーブルは、その段へつながるダクト９に収納し、ダクト９の端部からケーブルを入出線する。ケーブルは段毎にダクト９に分割収納されるので、誤って他の段のケーブルに触れたりすることもなく、また、ラックのサイドパネル３や扉７を施錠すれば他の段への進入も困難であり、セキュリティの性能を向上させることができる。
【００１２】
入出線をラック１の下方から行うようにダクト９が取り付けられているラック１を上方からの入出線に切り換えるには、扉７、マウントアングル６を外し、仕切り板５を除く。ダクト９を上方からの入出線位置に付け替える。仕切り板５を取り付け直すが、ダクト挿通孔１２がダクト９の取り付け本数に合うように、図４においては最上の仕切り板５と最下の仕切り板５を入れ替えて取り付ける。天板４のダクト挿通孔１１を施蓋しているカバー１３を外し、上部よりダクト３へ入出線を行う。
【００１３】
本発明に係るラックは、図１〜図４では４段のもので説明したが、図５に示すように、例えばラック１２を仕切り板１３で２段に仕切ったものでも同様に扱い、ダクト１４をラック１２の上方からでも下方からでも取り付けられるようにしている。
【００１４】
【発明の効果】
以上のように本発明に係るダクトの構造は、それぞれの段に載置される機器に接続されるケーブルを段毎に個別に収納するために、段数分のダクトをラックの一面に並列しレールに固定可能とし、それぞれの段への入出線をラックの上部または下部のどちら側からでも行えるようにダクトの組み替えが可能であると共に、通線作業は段毎に行えるため、通線作業時に他の段のケーブルが邪魔になったりしないので、作業性が向上する。既設のラックでも、入出線位置をそのままの部材で変更することができる。入出線位置が異なっても、同じラックが使用できるため、部材の共用等により製作費を抑えることができる。また、ダクトを取り付け直すにはすべての扉、マウントアングル、マウントレール、仕切板を外さなくてはならないので、ラックの各段の使用者が行うことはできない構造となっており、セキュリティの性能を向上することができる。
【図面の簡単な説明】
【図１】本発明に係るラックの説明図である。
【図２】図１におけるＡ−Ａ断面図である。
【図３】図２におけるＢ部拡大図である。
【図４】本発明に係るラックのダクトを取り付ける際の説明図である。
【図５】本発明に係るラックの変形実施例を示す説明図である。
【図６】従来技術におけるラックを示す説明図である。
【符号の説明】
１      ラック
２      底板
３      サイドパネル
４      天板
５      仕切り板
６      マウントアングル
７      扉
８      仕切り板
９      ダクト
１０    調整レール
１１    ダクト挿通孔
１２    カバー
１３    ラック
１４    仕切り板
１５    ダクト
【図１】
2004158729.tif 000003
【図２】
2004158729.tif 000004
【図３】
2004158729.tif 000005
【図４】
2004158729.tif 000006
【図５】
2004158729.tif 000007
【図６】
2004158729.tif 000008